(57)【特許請求の範囲】
【請求項１】
他の無線通信装置とサーバを介してグループ通信を行う無線通信装置であって、
前記サーバと無線通信を行う通信部と、
自装置の状態として、第１モード又は第２モードを予め設定可能な設定部と、
前記設定部により設定されたモードを記憶する記憶部と、
前記通信部にて、他の無線通信装置から前記サーバを介して前記グループ通信の通信開始要求を受信すると、前記記憶部に記憶されたモードに従い、前記サーバに自動的に応答処理を行う自動応答部と、
を有し、
前記自動応答部は、前記記憶部に前記第１モードが記憶されている場合には、前記通信開始要求に記載されるパラメータを用いて、前記通信部にて所定のインターネット上のアドレスにログインしてグループ通信を開始する通信開始処理を行い、前記記憶部に前記第２モードが記憶されている場合には、前記サーバを介してグループ通信に参加する他の複数の通信装置に対して通信拒否メッセージを送信した上で前記サーバとの通信を切断する通信拒否処理を行う
ことを特徴とする無線通信装置。
【請求項２】
前記グループ通信中に前記通信部により受信した音声データをテキストに変換する変換部と、
前記テキストを表示する表示部と、
を更に有し、
前記記憶部に前記第１モードが記憶されている場合には、前記自動応答部が前記通信開始処理を行い、前記グループ通信中に、前記表示部が前記変換部により変換された前記テキストを表示する
ことを特徴とする請求項１に記載の無線通信装置。
【請求項３】
前記グループ通信中に前記通信部により受信した音声データを録音する録音部
を更に有し、
前記記憶部に前記第１モードが記憶されている場合には、前記自動応答部が前記通信開始処理を行い、前記グループ通信中に、前記録音部が前記音声データを録音する
ことを特徴とする請求項１に記載の無線通信装置。
【請求項４】
前記自動応答部は、前記通信開始要求を送信した前記他の無線通信装置に対して、前記サーバを介し、前記記憶部に記憶されているモードに関する所定のメッセージを送信した後に、前記通信拒否処理を行う
ことを特徴とする請求項１から３のいずれか一項に記載の無線通信装置。
【請求項５】
前記第１モードは、前記通信開始要求に対して音声での報知を行わず、音声以外の手段による報知を行うマナーモードであり、
前記第２モードは、前記通信開始要求に対して報知を行わず、自動応答して運転中である旨を伝えるメッセージを送出した上で通信を終了するドライブモードである
ことを特徴とする請求項１から４のいずれか一項に記載の無線通信装置。
【請求項６】
他の無線通信装置とサーバを介してグループ通信を行う無線通信装置の無線通信方法であって、
自装置の状態として、第１モード又は第２モードを予め設定可能な第１の工程と、
設定されたモードを記憶部に記憶する第２の工程と、
通信部にて前記サーバから他の無線通信装置からグループ通信の通信開始要求を受信する第３の工程と、
前記通信開始要求を受信した際に、前記記憶部に前記第１モードが記憶されている場合には、前記通信開始要求に記載されるパラメータを用いて、前記通信部にて所定のインターネット上のアドレスにログインしてグループ通信を開始する通信開始処理を行う第４の工程と、
前記通信開始要求を受信した際に、前記記憶部に前記第２モードが記憶されている場合には、前記サーバを介してグループ通信に参加する他の複数の通信装置に対して通信拒否メッセージを送信した上で前記サーバとの通信を切断する通信拒否処理を行う第５の工程と、
を具備することを特徴とする無線通信方法。
【発明の詳細な説明】
【技術分野】
【０００１】
本発明は、３以上の通信装置が互いに通信を行う通信システムにおいて用いられる通信装置及び通信方法に関する。
【背景技術】
【０００２】
近年、携帯電話等の通信端末による通信の態様が多様化しており、回線交換による従来の音声通話に加え、ＩＰ（Internet Protocol）網を利用したパケット通信など新たな態様の通信が行われている。例えば、通信端末間でリアルタイムに文字をやりとりすることで会話を行う「チャットメール」がある（特許文献１参照）。チャットメールは、予め登録しておいたメンバー間でグループを形成し、このグループ内でリアルタイムに文字などのデータ通信を行う「グループ通信」と呼ばれる通信態様の１つである。
【０００３】
最近注目を集めているグループ通信の１つに、ＰｏＣ（Push to Talk over Cellular）と呼ばれるものがある。ＰｏＣは、グループを形成する複数の通信端末同士がリアルタイム通信を行うことを可能にする技術である。ＰｏＣでは、送信側となる１つの通信端末から受信側となる複数の通信端末へ一斉にデータを送信することができる。
【特許文献１】特開２００３−１７４５２０号公報
【発明の開示】
【発明が解決しようとする課題】
【０００４】
しかし、ＰｏＣにおいては、例えば運転中で通信に参加したくない場合でも、送信側に拒否を伝えるためには、通信装置を直接操作しなければならない、という不利益があった。
また、運転中や会議中等、通信に参加できない場合でも、通信を自動的に拒否する設定ができず、ＰｏＣの主催者側からの通信の要求に対して必ず手動で返信する必要がある、という不利益があった。
更に、運転中或いは会議中等の理由から手動で通信の要求を拒否した場合に、ＰｏＣの主催者側に通信拒否の理由を伝えることができない、という不利益があった。
更に、例えば携帯電話機等の通信装置をマナーモード等、音が出ない設定にしていた場合でも、ＰｏＣの通信が開始された場合、音声による通話が始まってしまい、うるさいという不利益があった。
【０００５】
本発明は上述した不利益を解消するために、通信開始要求に対する処理を設定し自動で処理させることができる通信装置及び通信方法を提供することを目的とする。
【課題を解決するための手段】
【０００６】
上述した不利益を解消するために、第１の観点の発明の無線通信装置は、他の無線通信装置とサーバを介してグループ通信を行う無線通信装置であって、前記サーバと無線通信を行う通信部と、自装置の状態として、第１モード又は第２モードを予め設定可能な設定部と、前記設定部により設定されたモードを記憶する記憶部と、前記通信部にて、他の無線通信装置から前記サーバを介して前記グループ通信の通信開始要求を受信すると、前記記憶部に記憶されたモードに従い、前記サーバに自動的に応答処理を行う自動応答部と、を有し、前記自動応答部は、前記記憶部に前記第１モードが記憶されている場合には、前記通信開始要求に記載されるパラメータを用いて、前記通信部にて所定のインターネット上のアドレスにログインしてグループ通信を開始する通信開始処理を行い、前記記憶部に前記第２モードが記憶されている場合には、前記サーバを介してグループ通信に参加する他の複数の通信装置に対して通信拒否メッセージを送信した上で前記サーバとの通信を切断する通信拒否処理を行う。
【０００７】
更に好適には、前記グループ通信中に前記通信部により受信した音声データをテキストに変換する変換部と、前記テキストを表示する表示部と、を更に有し、前記記憶部に前記第１モードが記憶されている場合には、前記自動応答部が前記通信開始処理を行い、前記グループ通信中に、前記表示部が前記変換部により変換された前記テキストを表示する。
【０００８】
更に好適には、前記グループ通信中に前記通信部により受信した音声データを録音する録音部を更に有し、前記記憶部に前記第１モードが記憶されている場合には、前記自動応答部が前記通信開始処理を行い、前記グループ通信中に、前記録音部が前記音声データを録音する。
【０００９】
更に好適には、前記自動応答部は、前記通信開始要求を送信した前記他の無線通信装置に対して、前記サーバを介し、前記記憶部に記憶されているモードに関する所定のメッセージを送信した後に、前記通信拒否処理を行う。
【００１０】
更に好適には、前記第１モードは、前記通信開始要求に対して音声での報知を行わず、音声以外の手段による報知を行うマナーモードであり、前記第２モードは、前記通信開始要求に対して報知を行わず、自動応答して運転中である旨を伝えるメッセージを送出した上で通信を終了するドライブモードである。
【００１１】
第２の観点の発明の無線通信方法は、他の無線通信装置とサーバを介してグループ通信を行う無線通信装置の無線通信方法であって、自装置の状態として、第１モード又は第２モードを予め設定可能な第１の工程と、設定されたモードを記憶部に記憶する第２の工程と、通信部にて前記サーバから他の無線通信装置からグループ通信の通信開始要求を受信する第３の工程と、前記通信開始要求を受信した際に、前記記憶部に前記第１モードが記憶されている場合には、前記通信開始要求に記載されるパラメータを用いて、前記通信部にて所定のインターネット上のアドレスにログインしてグループ通信を開始する通信開始処理を行う第４の工程と、前記通信開始要求を受信した際に、前記記憶部に前記第２モードが記憶されている場合には、前記サーバを介してグループ通信に参加する他の複数の通信装置に対して通信拒否メッセージを送信した上で前記サーバとの通信を切断する通信拒否処理を行う第５の工程と、を具備する。
【発明の効果】
【００１２】
本発明によれば、通信開始要求に対する処理を設定し自動で処理させることができる通信装置及び通信方法を提供することができる。
【発明を実施するための最良の形態】
【００１３】
以下、本発明の実施形態について説明する。
図１は、本実施形態の通信システムの構成の一例を示す図である。
本発明に係る通信システムは、例えば図１に示すように、３以上の通信端末（１００−１、１００−２、１００−３…）と、通信サーバ装置２００とを有する。
【００１４】
通信端末１００−ｉ（ｉは自然数を示す）は、例えば携帯電話機等の無線通信端末であり、基地局（３００−１、３００−２、３００−３…）を介して通信網３００に接続される。また、通信端末１００−ｉは、通信網３００に接続される通信サーバ装置２００の制御にしたがってデータ通信を行う。本実施形態では、一例として、ＰｏＣ（Push to Talk over Cellular）によるグループ通信を行うものとする。
【００１５】
このデータ通信において伝送されるデータには、例えば通話の音声や、画像、文字等のデータが含まれる。
【００１６】
本通信システムでは、３以上の通信端末（１００−１、１００−２、１００−３…）のうち通信サーバ装置２００によって送信を許可された１の通信端末が他の複数の通信端末へデータを送信することが可能である。データ送信を希望する通信端末１００−ｉは、通信サーバ装置２００に対して通信許可の要求を送信する。
【００１７】
また、通信端末１００−ｉは、後述するように、通信サーバ装置２００から提供される各種の情報を表示可能な表示部をそれぞれ有している。通信端末１００−ｉが通信サーバ装置２００に対して上述した通信許可を要求すると、通信システム内において現在通信許可を待っている通信端末に関する情報が通信サーバ装置２００から通信端末１００−ｉに送信される。通信端末１００−ｉは、通信サーバ装置２００からの情報を受信して表示部に表示する。
【００１８】
通信サーバ装置２００は、３以上の通信端末（１００−１、１００−２、１００−３…）によるＰｏＣのグループ通信を管理する装置である。
通信サーバ装置２００は、１の通信端末からＰｏＣによるグループ通話の開始要求を受けると、その要求に応じて相手方の通信端末を呼び出し、通信セッションを確立する。
【００１９】
通信セッションの確立後、通信サーバ装置２００は、１の通信端末から複数の通信端末へ送信されるデータを中継する。すなわち、送信側の通信端末から受信側の通信端末に宛てて送信されるデータを一旦受信し、これを受信側の通信端末へ転送する。
【００２０】
また、通信サーバ装置２００は、各通信端末１００−ｉの送信許可要求を受信し、各端末の送信許可要求を受け取った順にリスト化し、現在送信を行っている端末の送信が終わるたびにリスト上で次の端末の送信を順次許可する。
【００２１】
次に、本実施形態の通信端末１００−ｉについて説明する。
図２は、通信端末１００−ｉの構成の一例を示す図である。
通信端末１００−ｉは、例えば図２に示すように、アンテナ１と、通信部２と、キー入力部３と、音声処理部４と、表示部５と、記憶部６と、制御部７と、テキスト変換部８と、録音部９とを有する。
【００２２】
通信部２は、通信網３００の基地局（３００−１、３００−２…）との間の無線通信に関する処理を行う。例えば、制御部７から供給される送信データに所定の変調処理を施して無線信号に変換し、アンテナ１から送出する。また、アンテナ１において受信される基地局からの無線信号に所定の復調処理を施して受信データに変換し、制御部７に出力する。
通信端末１００−ｉは、この通信部２を介して通信網３００に接続された通信サーバ装置２００や他の端末と通信を行う。
【００２３】
キー入力部３は、通信端末にユーザの支持を入力するための装置である。例えば数字キー、文字キー、矢印キー、決定キーなど、各種の機能を持ったキーを有しており、これらのキーがユーザによって操作された場合に、その操作内容を電気信号に変換して制御部７に出力する。
【００２４】
また、キー入力部３には、ＰｏＣにおいて送信と受信を切り替えるためのキー（送信キー）が設けられている。ユーザがこの送信キーを操作すると、通信サーバ装置２００に対する送信許可要求が通信部２から送信される。
【００２５】
音声処理部４は、スピーカやマイクロフォンにおいて入出力される音声信号を処理する。すなわち、マイクロフォンから入力される音声信号に増幅、アナログ−デジタル変換、符号化等の信号処理を施し、デジタルの音声データに変換して制御部７に出力する。また、制御部７から供給される音声データに復号化、デジタル−アナログ変換、増幅等の信号処理を施し、アナログの音声信号に変換してスピーカに出力する。
【００２６】
表示部５は、例えば液晶表示パネルや有機ＥＬパネル等の表示デバイスを用いて構成されており、制御部７から供給される画像データに応じた画像を表示する。例えば、発信時における発信先の電話番号や、着信時における着信相手の電話番号、受信メールや送信メールの内容、待ち受け画面、日付、時刻、バッテリ残量等を表示する。
【００２７】
また、表示部５は、ＰｏＣによるグループ通信を行っている場合、通信サーバ装置２００から送られてくる各種の情報や通知を表示する。例えば、グループ通信に参加している通信端末の一覧や、送信許可を待っている通信端末の情報、１つの通信端末から他の端末へ発せられる要求やメッセージ、この要求やメッセージ等に対する別の通信端末の応答等を表示する。
【００２８】
記憶部６は、制御部７の処理で利用される各種のデータや、制御部７の処理結果のデータを記憶する。例えば、制御部７のコンピュータ・プログラムや、その処理に用いる定数データ、処理過程で一時的に保持する必要がある変数データ等を記憶する。
また、記憶部６は、制御部７の処理における各種の設定を記憶する。各種の設定については、後に詳述する。
【００２９】
制御部７は、通信端末の全体的な動作にかかわる種々の処理を行う。
例えばグループ通信に関する処理として、ＰｏＣにおける所定のプロトコルに従った音声通話やデータ通信が適切に行われるように、音声処理部４における音声の入出力、キー入力部３からの文字データの入力、表示部５における情報の表示、通信部２におけるデータの送受信等を制御する。
【００３０】
また、制御部７は、例えば、記憶部６に格納されたプログラム（オペレーティングシステム、アプリケーション等）に基づいて処理を実行するコンピュータを有しており、プログラムに従って上述した処理を実行する。
【００３１】
また、制御部７は、テキスト変換部８が音声データをテキスト化する処理や、録音部９が音声データを録音する際の処理の制御を行う。
【００３２】
制御部７は、ＰｏＣの処理に関する処理ブロックとして、送信制御部７１と、受信制御部７２と、表示制御部７３と、自動応答部７４、設定選択部７５とを有する。
【００３３】
送信制御部７１は、ＰｏＣのグループ通信の際に、通信部２からデータを送信する処理を行う。例えば、キー入力部３においてＰｏＣの送信キーが押されると、通信サーバ装置２００に対する送信許可の要求を通信部２から送信する。
【００３４】
受信制御部７２は、ＰｏＣのグループ通信の際に、通信部２においてデータを受信する処理を行う。例えば、上述した送信許可の要求を通信部２から送信した後、通信サーバ装置２００から送信される送信予約リスト情報（通信システム内で送信許可を待つ通信端末に関する情報等）を通信部２において受信する。
【００３５】
表示制御部７３は、表示部５における情報の表示に係わる制御を行う。例えば、ＰｏＣによるグループ通信時に通信サーバ装置２００から受信した各種の情報や通知を表示部５に表示する。
【００３６】
自動応答部７４は、ＰｏＣのグループ通信の際、他の通信端末の通信開始要求に対し、ユーザが例えば運転中等の理由で返信を行えない場合等に、設定選択部７５による設定の通りに自動的に応答を行う。
【００３７】
設定選択部７５は、他の通信端末の通信開始要求に対し、自動応答部７４が自動応答する内容を予めユーザが設定し記憶部６に記憶した設定の中から選択し決定する。
【００３８】
テキスト変換部８は、通信サーバ装置２００から送信されてくる音声データをテキスト化する。音声データをテキスト化する方法については本実施形態では限定せず、どのような方法でテキスト化を行ってもよい。
【００３９】
録音部９は、通信サーバ装置２００から送信されてくる音声データを録音し記憶する。録音を行う際にはアナログ−デジタル変換、符号化等換や符号化等の処理を行ってもよい。本実施形態では音声データの録音方法については限定しない。どのような方法で録音を行ってもよい。
【００４０】
なお、上述したテキスト変換部８や録音部９は、図７に示すように、制御部７から独立したハードウェアにて動作してもよいし、また、制御部７上でソフトウェアとして動作し処理を行うように構成してもよい。
【００４１】
以下、制御部７の行うＰｏＣ処理の各種設定について説明する。
＜ドライブモード処理＞
ドライブモードは、この設定をＯＮしておけば、自動車を運転しているときに音声着信が発生したとき等に、音声処理部３における呼び出し音を報知せずに、当該着信に対して自動応答して運転中である旨を伝えるメッセージを送出した上で通信を終了し、運転に対して影響を与えることを回避する機能として一般に知られている。通信端末１００-ｉがこのようなドライブモードの機能を備えていて、設定されている場合のＰｏＣ処理について説明する。
なお、ドライブモードという名称は一例であり、実際には他の名称を使用してもよい。
【００４２】
ドライブモードに設定されている場合の通信端末１００−ｉの動作例を、図面を参照して説明する。なお、キー入力部３によりドライブモード設定の操作がなされると、制御部７は記憶部６にドライブモードを設定する旨を記憶させることにより、ドライブモード設定を行うことは言うまでもない。
図３は、ドライブモードにおける通信端末１００−ｉの動作例を説明するためのフローチャートである。
【００４３】
ステップＳＴ１：
通信部２が、他の通信端末からの通信開始要求を通信サーバ装置２００から受信する。
ステップＳＴ２：
自動応答部７４は、「現在ドライブモード中であるため通信できません」という旨のメッセージを、通信開始要求を送信した通信端末に対して自動的に返信することにより、他の通信端末からの通信開始要求に対し自動的に通信拒否処理を行い、同時に他の通信端末に対し通信できない理由を通知することができる。このメッセージは一例であり、実際には、例えば、ユーザが事前に設定し記憶部６に記憶したメッセージを自動的に返信してもよい。
【００４４】
ステップＳＴ３：
自動応答部７４は、自動的に通信サーバ装置２００との通信を切断し、ＰｏＣ処理を終了する。
【００４５】
以上説明したように、ドライブモードにおいては、他の通信端末からのＰｏＣのグループ通信開始要求に対し、通信不可であることを示すメッセージを送信し、自動的に通信開始要求を拒否する（通信サーバ装置２００との通信を切断する）。このため、通信化開始要求に対して自ら操作を行うことなく、都合が悪いときには自動的に通信を切断でき、同時に通信を切断した理由を他の端末に対し伝えることができる。
【００４６】
＜マナーモード処理＞
次に、マナーモードは、設定がＯＮされていれば、音声着信が発生したとき等に、音声処理部３における呼び出し音の出力を行わず、代わりに図示しないバイブレータ等の振動報知部で振動を発生させることにより、当該着信に対して呼び出し音を出力せずに着信の発生を報知できるため、周囲の人々に迷惑をかけないように用いられる機能として一般に知られている。通信端末１００-ｉがこのようなマナーモードの機能を備えていて、設定されている場合のＰｏＣ処理について説明する。
なお、マナーモードという名称は一例であり、他の名称でもよい。
【００４７】
マナーモードに設定されている場合の通信端末１００−ｉの動作例を、図面を参照して説明する。なお、マナーモードの設定操作に関しては、ドライブモードの設定のときと同じように、キー入力部３によりマナーモード設定の操作がなされると、制御部７は記憶部６にマナーモードを設定する旨を記憶させることにより、マナーモード設定を行うことは言うまでもない。
図４は、マナーモードにおける通信端末１００−ｉの動作例を説明するためのフローチャートである。
【００４８】
ステップＳＴ１１：
通信部２が、他の通信端末からの通信開始要求を通信サーバ装置２００から受信する。
ステップＳＴ１２：
自動応答部７４は、「現在マナーモード中です」という旨のメッセージを、通信開始要求を送信した通信端末に対して自動的に返信する。このメッセージは一例であり、実際には、例えば、ユーザが事前に設定し記憶部６に記憶したメッセージを自動的に返信してもよい。このときに、音声処理部３での鳴動を行わなければ、振動報知部での振動により通信開始要求を受信したことを報知してもよい。
【００４９】
ステップＳＴ１３：
その後、自動応答部７４は、自動的に通信サーバ装置２００との通信を行い、ＰｏＣ処理を開始する。すなわち、通信開始要求に含まれるアドレス等のパラメータを基に、通信サーバ装置２００にログインする。
ステップＳＴ１４：
そして、テキスト変換部８は、通信サーバ装置２００から受信した他の通信端末の発した音声データをテキストデータに変換し、表示部５に表示する。
【００５０】
ステップＳＴ１５：
更に、録音部９は、通信サーバ装置２００から受信した他の通信端末の発した音声データを録音し、記憶する。
ステップＳＴ１６：
制御部７は、通信サーバ装置２００との通信を切断し、ＰｏＣ処理を終了する。
【００５１】
以上説明したように、マナーモードにおいては、他の通信端末からのＰｏＣのグループ通信開始要求に対し、マナーモード中であることを他の通信端末に伝え、他の通信端末の発する音声データをテキストに変換し表示する、音声データを録音し後でゆっくり聞くことができるようにする、等の処理を行う。このため、例えば周りに人が大勢いて音声によるＰｏＣに参加できないような場合でも、表示部５にＰｏＣのグループ通話の内容がテキスト表示されるので会話の内容を知ることができ、また録音部９にグループ通話の内容が録音されるため、マナーモードを解除できる状況になってからゆっくりグループ通話の内容を確認することができる。
【００５２】
なお、本実施形態のマナーモードではテキスト変換部８による音声メッセージのテキスト変換と、録音部９による音声メッセージの録音が両方行われることになっているが、本発明では両方が必ずしも行われる必要は無く、どちらか一方だけでもよい。また、上述した図４に示すフローチャートでは、録音部９による録音よりもテキスト変換部８によるテキスト変換の方が先に行われているが、本発明ではこれに限定されず、例えば、テキスト変換処理よりも録音処理の方が先に行われてもよいし、これらの処理が同時に行われてもよい。
【００５３】
次に、全体を通した通信端末１００−ｉの動作例について説明する。
図５は、他の通信端末からの通信開始要求を受信した場合の通信端末１００−ｉの動作例を示すフローチャートである。
【００５４】
ステップＳＴ２１：
通信部２が、自端末宛ての呼び出しを通信網３００から受信し、この呼び出しが他の通信端末または通信サーバ装置２００からのＰｏＣ通信の通信開始要求であった場合はＳＴ２２に進み、その他の呼び出しであった場合は従来どおりであるため省略する。
なお、通信サーバ装置２００経由で他の通信端末装置から通信開始要求が送付されるようなシステムの場合は、受信した呼び出しの送付元を参照したり、受信した呼び出しの内容に通信サーバ装置２００へのログインに用いるパラメータが記載されているか、等の多様な手法により本発明で言う通信開始要求なのか、通常の回線交換による音声通話目的の着信なのか、メール受信なのかを判断すればよい。
ステップＳＴ２２：
設定選択部７５は、現在の通信端末１００−ｉがドライブモード中であるか否かを記憶部６を参照して判断し、ドライブモード中であればステップＳＴ２３に、そうでなければステップＳＴ２４に進む。
【００５５】
ステップＳＴ２３：
設定選択部７５は、前述したドライブモード処理を行うことを決定し、自動応答部７４は図３に示したようなドライブモード中の処理を実行する。
ステップＳＴ２４：
設定選択部７５は、現在の通信端末１００−ｉがマナーモード中であるか否かを記憶部６を参照して判断し、マナーモード中であればステップＳＴ２５に、そうでなければステップＳＴ２６に進む。
【００５６】
ステップＳＴ２５：
設定選択部７５は、前述したマナーモード処理を行うことを決定し、自動応答部７４は図４に示したようなマナーモード中の処理を実行する。
ステップＳＴ２６：
制御部７は、ＰｏＣ通信に関する通信開始要求を受信したことを表示部５での表示、音声処理部３での鳴動、振動報知部での振動により報知し、ユーザにＰｏＣ通信を開始するか否かを決定させ、開始しないとキー入力部３により入力された場合はステップＳＴ２７に、開始するとキー入力部３により入力された場合はステップＳＴ２８に進む。
【００５７】
ステップＳＴ２７：
制御部７は、通信を切断しＰｏＣ処理を終了する。
ステップＳＴ２８：
制御部７は、ユーザの決定に応じて、通信開始要求に対して返信しＰｏＣ通信を開始する。
【００５８】
ステップＳＴ２９：
設定選択部７５は、先述したような音声データのテキスト変換を自動的に行うモードが単独で設定されているか否かを記憶部６を参照して判断し、そうである場合にはステップＳＴ３０に、そうでない場合にはステップＳＴ３１に進む。
ステップＳＴ３０：
テキスト変換部８は、通信サーバ装置２００から受信した他の通信端末の発した音声データをテキストデータに変換し、表示部５に表示する。
【００５９】
ステップＳＴ３１：
設定選択部７５は、前述したような音声データの録音を自動的に行うモードが単独で設定されているか否かを記憶部６を参照して判断し、そうである場合にはステップＳＴ３２に、そうでない場合にはステップＳＴ３３に進む。
ステップＳＴ３２：
録音部９は、通信サーバ装置２００から受信した他の通信端末の発した音声データを録音し、記憶する。
【００６０】
ステップＳＴ３３：
制御部７は、他の通信端末との音声によるＰｏＣ通信を行う。
ステップＳＴ３４：
制御部７は、ＰｏＣ通信が終了したら、通信サーバ装置２００との通信を切断する。
【００６１】
以上説明したように、本実施形態の通信端末１００−ｉによれば、ドライブモードやマナーモード等の設定に従って、他の通信端末からの通信開始要求に対し自動的に応答することができ、ドライブモードやマナーモード以外にも、自動的にテキスト変換を行うモードや自動的に録音を行うモードを選択することができるため、予め設定しておくことにより通信開始要求を受信した際に設定に応じて自動で処理することができる。
特に、ＰｏＣ通信は、各通信端末が通信サーバ装置２００にインターネット経由でログインし、各種データは、いわゆるＶｏＩＰ通信のように音声をパケット形式で各通信端末間にてやり取りされることになる。すなわち、ＰｏＣ通信は、通常の回線交換による音声通話とは異なり、音声が送受されるにもかかわらず、通信部２にとってはインターネット接続と同等のプロトコル処理がなされる。よって、通常の音声着信を想定して構築されたドライブモードやマナーモードのような各種モードの設定は、ＰｏＣ通信にまでは対応しきれていなかった。しかし、本発明により対応可能とすることができる。
【００６２】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、ドライブモード処理の場合はメッセージの送信後に自動で通信終了を行い、マナーモード処理の場合はメッセージの送信後に自動で通信を開始して受信音声のテキスト化・録音を行うように構成したが、ドライブモードの場合であっても自動で通信を開始して受信音声のテキスト化・録音を行ったり、マナーモード処理の場合であっても自動で通信終了したりするよう構成してもよい。更に、このような変更をユーザが予め選択できるようにしておくことも考えられる。
【００６３】
また、上述した実施形態では、ＰｏＣによるグループ通信に本発明を適用する例を説明しているが、本発明はこれには限定されず、１対多のデータ通信を行う他の種々のグループ通信にも適用可能である。
【００６４】
本発明の通信端末は携帯電話機に限定されない。例えば、ＰＤＡ（personal digital assistants）や携帯型ゲーム機等、通信機能を有する端末装置に広く本発明は適用可能である。
【図面の簡単な説明】
【００６５】
【図１】図１は、本実施形態の通信システムの構成の一例を示す図である
【図２】図２は、通信端末１００−ｉの構成の一例を示す図である。
【図３】図３は、ドライブモードにおける通信端末１００−ｉの動作例を説明するためのフローチャートである。
【図４】図４は、マナーモードにおける通信端末１００−ｉの動作例を説明するためのフローチャートである。
【図５】図５は、他の通信端末からの通信開始要求を受信した場合の通信端末１００−ｉの動作例を示すフローチャートである。
【符号の説明】
【００６６】
１…アンテナ、２…通信部、３…キー入力部、４…音声処理部、５…表示部、６…記憶部、７…制御部、７１…送信制御部、７２…受信制御部、７３…表示制御部、７４…自動応答部、７５…設定選択部、８…テキスト変換部、９…録音部、１００…通信端末、
２００…通信サーバ装置、３００…通信網
【図１】
0004722656.tif 000002
【図２】
0004722656.tif 000003
【図３】
0004722656.tif 000004
【図４】
0004722656.tif 000005
【図５】
0004722656.tif 000006